(57)【要約】【課題】層間接続導体が破損することを抑制できる高周波信号線路及びこれを備えた電子機器を提供することである。【解決手段】誘電体素体１２は、可撓性を有する複数の誘電体シートが積層されて構成されており、線路部１２ｂ，１２ｃを含んでいる。信号線路２０は、線路部１２ｂ，１２ｃが延在している方向に沿って延在している。２つのグランド導体は、信号線路２０をｚ軸方向の両側から挟んでいる。ビアホール導体Ｂ１〜Ｂ４は、誘電体シートを貫通することにより、２つのグランド導体を接続している。線路部１２ｂ，１２ｃは、互いに接続されることによって角Ｃ２を形成している。ｚ軸方向から平面視したときに、誘電体素体１２において信号線路２０よりも角Ｃ２の劣角側であって、かつ、角Ｃ２の二等分線Ｌ１上には、ビアホール導体Ｂ１〜Ｂ４が設けられていない。【選択図】図１０
2014140012.tif 000002
【特許請求の範囲】
【請求項１】
可撓性を有する複数の誘電体シートが積層されて構成され、第１の線路部及び第２の線路部を含んでいる誘電体素体と、
前記第１の線路部及び前記第２の線路部に設けられ、前記第１の線路部及び前記第２の線路部が延在している方向に沿って延在している信号線路と、
前記誘電体素体において前記信号線路よりも積層方向の一方側に設けられることにより該信号線路と対向している第１のグランド導体と、
前記誘電体素体において前記信号線路よりも積層方向の他方側に設けられることにより該信号線路と対向している第２のグランド導体と、
前記第１の線路部又は前記第２の線路部の少なくともいずれか一方に設けられ、かつ、前記誘電体シートを貫通することにより、前記第１のグランド導体と前記第２のグランド導体とを接続している１以上の層間接続導体と、
を備えており、
前記第１の線路部と前記第２の線路部とは、互いに接続されることにより第１の角を形成しており、
積層方向から平面視したときに、前記誘電体素体において前記信号線路よりも前記第１の角の劣角側であって、かつ、該第１の角の第１の二等分線上には、前記層間接続導体が設けられていないこと、
を特徴とする高周波信号線路。
【請求項２】
前記層間接続導体は、前記誘電体素体において、前記第１の二等分線上には設けられていないこと、
を特徴とする請求項１に記載の高周波信号線路。
【請求項３】
前記層間接続導体は、前記第１の線路部及び前記第２の線路部に設けられており、
前記第１の線路部において前記第１の二等分線に対して最も近くに設けられている前記層間接続導体を第１の層間接続導体とし、前記第２の線路部において該第１の二等分線に対して最も近くに設けられている前記層間接続導体を第２の層間接続導体とし、
前記信号線路において前記第１の層間接続導体に最も近接している第１の部分と該信号線路において前記第２の層間接続導体に最も近接している第２の部分との間における該信号線路の長さは、該信号線路を伝送される電磁波の波長の１／４以下であること、
を特徴とする請求項１又は請求項２のいずれかに記載の高周波信号線路。
【請求項４】
前記誘電体素体は、前記第２の線路部と接続されることにより第２の角を形成する第３の線路部であって、前記第１の線路部に沿って延在している第３の線路部を更に含んでおり、
前記層間接続導体は、前記第３の線路部に設けられており、
前記信号線路は、前記第３の線路部が延在している方向に沿って延在しており、
積層方向から平面視したときに、前記誘電体素体において前記信号線路よりも前記第２の角の劣角側であって、かつ、該第２の角の第２の二等分線上には、前記層間接続導体が設けられておらず、
前記第３の線路部において前記第２の二等分線に対して最も近くに設けられている前記層間接続導体を第３の層間接続導体とし、
前記第２の部分と前記信号線路において前記第３の層間接続導体に最も近接している第３の部分との間における該信号線路の長さは、該信号線路を伝送される電磁波の波長の１／４以下であること、
を特徴とする請求項３に記載の高周波信号線路。
【請求項５】
前記誘電体素体は、前記第２の線路部と接続されることにより第２の角を形成する第３の線路部であって、前記第１の線路部に沿って延在している第３の線路部を更に含んでおり、
前記層間接続導体は、前記第１の線路部及び前記第３の線路部に設けられ、前記第２の線路部には設けられておらず、
前記信号線路は、前記第３の線路部が延在している方向に沿って延在しており、
積層方向から平面視したときに、前記誘電体素体において前記信号線路よりも前記第２の角の劣角側であって、かつ、該第２の角の第２の二等分線上には、前記層間接続導体が設けられておらず、
前記第１の線路部において前記第１の二等分線に対して最も近くに設けられている前記層間接続導体を第１の層間接続導体とし、前記第３の線路部において前記第２の二等分線に対して最も近くに設けられている前記層間接続導体を第３の層間接続導体とし、
前記信号線路において前記第１の層間接続導体に最も近接している第１の部分と該信号線路において前記第３の層間接続導体に最も近接している第３の部分との間における該信号線路の長さは、該信号線路を伝送される電磁波の波長の１／４以下であること、
を特徴とする請求項１又は請求項２のいずれかに記載の高周波信号線路。
【請求項６】
筐体と、
前記筐体に収納されている高周波信号線路と、
を備えており、
前記高周波信号線路は、
可撓性を有する複数の誘電体シートが積層されて構成され、第１の線路部及び第２の線路部を含んでいる誘電体素体と、
前記第１の線路部及び前記第２の線路部に設けられ、前記第１の線路部及び前記第２の線路部が延在している方向に沿って延在している信号線路と、
前記誘電体素体において前記信号線路よりも積層方向の一方側に設けられることにより該信号線路と対向している第１のグランド導体と、
前記誘電体素体において前記信号線路よりも積層方向の他方側に設けられることにより該信号線路と対向している第２のグランド導体と、
前記第１の線路部又は前記第２の線路部の少なくともいずれか一方に設けられ、かつ、前記誘電体シートを貫通することにより、前記第１のグランド導体と前記第２のグランド導体とを接続している１以上の層間接続導体と、
を備えており、
前記第１の線路部と前記第２の線路部とは、互いに接続されることにより第１の角を形成しており、
積層方向から平面視したときに、前記誘電体素体において前記信号線路よりも前記第１の角の劣角側であって、かつ、該第１の角の二等分線上には、前記層間接続導体が設けられていないこと、
を特徴とする電子機器。
【発明の詳細な説明】
【技術分野】
【０００１】
本発明は、高周波信号線路及びこれを備えた電子機器に関し、より特定的には、高周波信号の伝送に用いられる高周波信号線路及びこれを備えた電子機器に関する。
【背景技術】
【０００２】
従来の高周波信号線路に関する発明としては、例えば、特許文献１に記載の高周波信号線路が知られている。該高周波信号線路は、誘電体素体、信号線及び２つのグランド導体を備えている。誘電体素体は、複数の誘電体シートが積層されて構成されている。信号線は、誘電体素体内に設けられている。２つのグランド導体は、誘電体素体において積層方向から信号線を挟んでいる。これにより、信号線と２つのグランド導体とは、ストリップライン構造をなしている。
【０００３】
更に、一方のグランド導体には、積層方向から平面視したときに、信号線と重なる複数の開口が設けられている。これにより、複数の開口と信号線とが平面視で重なる部分においては信号線と一方のグランド導体との間に容量が形成されにくくなる。よって、信号線と一方のグランド導体との積層方向における距離を小さくすることが可能となり、高周波信号線路の薄型化を図ることが可能となる。以上のような高周波信号線路は、例えば、２つの回路基板の接続等に用いられる。
【０００４】
ところで、特許文献１に記載の高周波信号線路において、２つの回路基板を接続する作業を容易に行うために、高周波信号線路の一部をミアンダ形状にすることが考えられる。図２３は、一部がミアンダ形状をなしている高周波信号線路５００を示した図である。
【０００５】
図２３に示す高周波信号線路５００では、長手方向の中央部分がミアンダ形状をなしている。これにより、高周波信号線路５００が長手方向に引っ張られると、ミアンダ形状をなす中央部分が伸びる。このように、高周波信号線路５００を伸び縮み可能な構成とすることにより、高周波信号線路５００を２つの回路基板等に接続する作業が容易になる。
【０００６】
しかしながら、前記高周波信号線路５００では、ビアホール導体が破損するおそれがある。より詳細には、高周波信号線路５００では、信号線と２つのグランド導体が内蔵されており、これらはストリップライン構造をなしている。そのため、２つのグランド導体は、ビアホール導体によって互いに接続されている。
【０００７】
ここで、高周波信号線路５００が長手方向に引っ張られると、高周波信号線路５００のミアンダ形状をなす部分の角において応力が集中する。その結果、高周波信号線路５００内に設けられたビアホール導体に力が加わり、ビアホール導体が破損し、電気的特性が変化するおそれがある。
【先行技術文献】
【特許文献】
【０００８】
【特許文献１】国際公開第２０１２／０７３５９１号パンフレット
【発明の概要】
【発明が解決しようとする課題】
【０００９】
そこで、本発明の目的は、層間接続導体が破損することを抑制できる高周波信号線路及びこれを備えた電子機器を提供することである。
【課題を解決するための手段】
【００１０】
本発明の一形態に係る高周波信号線路は、可撓性を有する複数の誘電体シートが積層されて構成され、第１の線路部及び第２の線路部を含んでいる誘電体素体と、前記第１の線路部及び前記第２の線路部に設けられ、前記第１の線路部及び前記第２の線路部が延在している方向に沿って延在している信号線路と、前記誘電体素体において前記信号線路よりも積層方向の一方側に設けられることにより該信号線路と対向している第１のグランド導体と、前記誘電体素体において前記信号線路よりも積層方向の他方側に設けられることにより該信号線路と対向している第２のグランド導体と、前記第１の線路部又は前記第２の線路部の少なくともいずれか一方に設けられ、かつ、前記誘電体シートを貫通することにより、前記第１のグランド導体と前記第２のグランド導体とを接続している１以上の層間接続導体と、を備えており、前記第１の線路部と前記第２の線路部とは、互いに接続されることにより第１の角を形成しており、積層方向から平面視したときに、前記誘電体素体において前記信号線路よりも前記第１の角の劣角側であって、かつ、該第１の角の第１の二等分線上には、前記層間接続導体が設けられていないこと、を特徴とする。
【００１１】
本発明の一形態に係る電子機器は、筐体と、前記筐体に収納されている高周波信号線路と、を備えており、前記高周波信号線路は、可撓性を有する複数の誘電体シートが積層されて構成され、第１の線路部及び第２の線路部を含んでいる誘電体素体と、前記第１の線路部及び前記第２の線路部に設けられ、前記第１の線路部及び前記第２の線路部が延在している方向に沿って延在している信号線路と、前記誘電体素体において前記信号線路よりも積層方向の一方側に設けられることにより該信号線路と対向している第１のグランド導体と、前記誘電体素体において前記信号線路よりも積層方向の他方側に設けられることにより該信号線路と対向している第２のグランド導体と、前記第１の線路部又は前記第２の線路部の少なくともいずれか一方に設けられ、かつ、前記誘電体シートを貫通することにより、前記第１のグランド導体と前記第２のグランド導体とを接続している１以上の層間接続導体と、を備えており、前記第１の線路部と前記第２の線路部とは、互いに接続されることにより第１の角を形成しており、積層方向から平面視したときに、前記誘電体素体において前記信号線路よりも前記第１の角の劣角側であって、かつ、該第１の角の二等分線上には、前記層間接続導体が設けられていないこと、を特徴とする。
【発明の効果】
【００１２】
本発明によれば、層間接続導体が破損することを抑制できる。
【図面の簡単な説明】
【００１３】
【図１】本発明の一実施形態に係る高周波信号線路の外観斜視図である。
【図２】図１の高周波信号線路の分解図である。
【図３】図１の高周波信号線路の分解図である。
【図４】図１の高周波信号線路の分解図である。
【図５】図１の高周波信号線路の分解図である。
【図６】図１の高周波信号線路の分解図である。
【図７】図１の高周波信号線路の分解図である。
【図８】図２のＡ−Ａにおける断面構造図である。
【図９】図２のＢ−Ｂにおける断面構造図である。
【図１０】高周波信号線路の線路部を平面視した図である。
【図１１】高周波信号線路の線路部を平面視した図である。
【図１２】高周波信号線路のコネクタの外観斜視図である。
【図１３】高周波信号線路のコネクタの断面構造図である。
【図１４】高周波信号線路が用いられた電子機器をｙ軸方向から平面視した図である。
【図１５】高周波信号線路が用いられた電子機器をｚ軸方向から平面視した図である。
【図１６】第１の変形例に係る高周波信号線路の線路部を平面視した図である。
【図１７】第２の変形例に係る高周波信号線路を平面視した図である。
【図１８】第３の変形例に係る高周波信号線路を平面視した図である。
【図１９】第４の変形例に係る高周波信号線路を平面視した図である。
【図２０】第５の変形例に係る高周波信号線路の線路部を平面視した図である。
【図２１】第６の変形例に係る高周波信号線路の線路部を平面視した図である。
【図２２】第７の変形例に係る高周波信号線路の線路部を平面視した図である。
【図２３】一部がミアンダ形状をなしている高周波信号線路を示した図である。
【発明を実施するための形態】
【００１４】
以下に、本発明の実施形態に係る高周波信号線路及びこれを備えた電子機器について図面を参照しながら説明する。
【００１５】
（高周波信号線路の構成）
以下に、本発明の一実施形態に係る高周波信号線路の構成について図面を参照しながら説明する。図１は、本発明の一実施形態に係る高周波信号線路１０の外観斜視図である。図２ないし図７は、図１の高周波信号線路１０の分解図である。なお、図４では、線路部１２ｂ，１２ｆ，１２ｊを示しているが、線路部１２ｂ，１２ｊは、図４に示す長さよりも実際には短い。ただし、線路部１２ｂ，１２ｊの内部構造が線路部１２ｆの内部構造と同じであるため、線路部１２ｂ，１２ｊの分解斜視図として図４を援用している。図８は、図２のＡ−Ａにおける断面構造図である。図９は、図２のＢ−Ｂにおける断面構造図である。図１０は、高周波信号線路１０の線路部１２ｂ〜１２ｄ，１２ｆ〜１２ｈを平面視した図である。図１１は、高周波信号線路１０の線路部１２ｄ〜１２ｆ，１２ｈ〜１２ｊを平面視した図である。以下では、高周波信号線路１０の積層方向をｚ軸方向と定義する。また、高周波信号線路１０の長手方向をｘ軸方向と定義し、ｘ軸方向及びｚ軸方向に直交する方向をｙ軸方向と定義する。
【００１６】
高周波信号線路１０は、例えば、携帯電話等の電子機器内において、２つの高周波回路を接続するために用いられる。高周波信号線路１０は、図１ないし図７に示すように、誘電体素体１２、外部端子１６ａ，１６ｂ、信号線路２０、基準グランド導体２２、補助グランド導体２４、ビアホール導体（層間接続部）ｂ１，ｂ２，Ｂ１〜Ｂ４及びコネクタ１００ａ，１００ｂを備えている。
【００１７】
誘電体素体１２は、図１に示すように、ｚ軸方向から平面視したときに、ｘ軸方向に長手方向を有する可撓性を有する板状部材であり、ｘ軸方向の中央部分においてｙ軸方向に往復するミアンダ形状をなしている。誘電体素体１２は、線路部１２ａ〜１２ｋ、接続部１２ｌ，１２ｍを含んでいる。誘電体素体１２は、図２ないし図７に示すように、保護層１４、誘電体シート１８ａ〜１８ｃがｚ軸方向の正方向側から負方向側へとこの順に積層されて構成されている積層体である。以下では、誘電体素体１２のｚ軸方向の正方向側の主面を表面と称し、誘電体素体１２のｚ軸方向の負方向側の主面を裏面と称す。
【００１８】
線路部１２ａ〜１２ｋは、図１に示すように、直線的に延在し、かつ、均一な幅を有する帯状をなしている。線路部１２ａ，１２ｋは、ｘ軸方向に延在している。線路部１２ｂ〜１２ｊは、ｚ軸方向の正方向側から平面視したときに、線路部１２ａと線路部１２ｋとの間において、１本に接続されることによりミアンダ形状をなしている。
【００１９】
線路部１２ｂは、線路部１２ａのｘ軸方向の正方向側の端部からｙ軸方向の負方向側に向かって延在している。線路部１２ｃは、線路部１２ｂのｙ軸方向の負方向側の端部からｘ軸方向の正方向側に向かって延在している。線路部１２ｄは、線路部１２ｃのｘ軸方向の正方向側の端部からｙ軸方向の正方向側に向かって延在している。すなわち、線路部１２ｄは、線路部１２ｂに沿って延在している。線路部１２ｅは、線路部１２ｄのｙ軸方向の正方向側の端部からｘ軸方向の正方向側に向かって延在している。線路部１２ｆは、線路部１２ｅのｘ軸方向の正方向側の端部からｙ軸方向の負方向側に向かって延在している。すなわち、線路部１２ｆは、線路部１２ｄに沿って延在している。線路部１２ｇは、線路部１２ｆのｙ軸方向の負方向側の端部からｘ軸方向の正方向側に向かって延在している。線路部１２ｈは、線路部１２ｇのｘ軸方向の正方向側の端部からｙ軸方向の正方向側に向かって延在している。すなわち、線路部１２ｈは、線路部１２ｆに沿って延在している。線路部１２ｉは、線路部１２ｈのｙ軸方向の正方向側の端部からｘ軸方向の正方向側に向かって延在している。線路部１２ｊは、線路部１２ｉのｘ軸方向の正方向側の端部からｙ軸方向の負方向側に向かって延在している。すなわち、線路部１２ｊは、線路部１２ｈに沿って延在している。また、線路部１２ｊのｙ軸方向の負方向側の端部は、線路部１２ｋのｘ軸方向の負方向側の端部に接続されている。なお、図１において、線路部１２ａ〜１２ｋの境界については、点線で示した。
【００２０】
以上のように、線路部１２ａと線路部１２ｂとが接続されることにより、角Ｃ１が形成されている。線路部１２ｂと線路部１２ｃとが接続されることにより、角Ｃ２が形成されている。線路部１２ｃと線路部１２ｄとが接続されることにより、角Ｃ３が形成されている。線路部１２ｄと線路部１２ｅとが接続されることにより、角Ｃ４が形成されている。線路部１２ｅと線路部１２ｆとが接続されることにより、角Ｃ５が形成されている。線路部１２ｆと線路部１２ｇとが接続されることにより、角Ｃ６が形成されている。線路部１２ｇと線路部１２ｈとが接続されることにより、角Ｃ７が形成されている。線路部１２ｈと線路部１２ｉとが接続されることにより、角Ｃ８が形成されている。線路部１２ｉと線路部１２ｊとが接続されることにより、角Ｃ９が形成されている。線路部１２ｊと線路部１２ｋとが接続されることにより、角Ｃ１０が形成されている。
【００２１】
接続部１２ｌは、線路部１２ａのｘ軸方向の負方向側の端部に接続されており矩形状をなしている。接続部１２ｌのｙ軸方向の幅は、線路部１２ａのｙ軸方向の幅よりも大きい。接続部１２ｍは、線路部１２ｋのｘ軸方向の正方向側の端部に接続されており矩形状をなしている。接続部１２ｍのｙ軸方向の幅は、線路部１２ｋのｙ軸方向の幅よりも大きい。
【００２２】
誘電体シート１８ａ〜１８ｃは、図２ないし図７に示すように、ｚ軸方向から平面視したときに、誘電体素体１２と同じ平面形状をなしている。誘電体シート１８ａ〜１８ｃは、ポリイミドや液晶ポリマー等の可撓性を有する熱可塑性樹脂により構成されている。以下では、誘電体シート１８ａ〜１８ｃのｚ軸方向の正方向側の主面を表面と称し、誘電体シート１８ａ〜１８ｃのｚ軸方向の負方向側の主面を裏面と称す。
【００２３】
誘電体シート１８ａの厚さＴ１は、図８及び図９に示すように、誘電体シート１８ｂの厚さＴ２よりも大きい。誘電体シート１８ａ〜１８ｃの積層後において、厚さＴ１は、例えば、５０〜３００μｍである。本実施形態では、厚さＴ１は１００μｍである。また、厚さＴ２は、例えば、１０〜１００μｍである。本実施形態では、厚さＴ２は５０μｍである。
【００２４】
また、誘電体シート１８ａは、図２ないし図７に示すように、線路部１８ａ−ａ〜１８ａ−ｋ及び接続部１８ａ−ｌ，１８ａ−ｍにより構成されている。線路部１８ｂ−ａ〜１８ｂ−ｋ及び接続部１８ｂ−ｌ，１８ｂ−ｍにより構成されている。線路部１８ｃ−ａ〜１８ｃ−ｋ及び接続部１８ｃ−ｌ，１８ｃ−ｍにより構成されている。線路部１８ａ−ａ，１８ｂ−ａ，１８ｃ−ａは、線路部１２ａを構成している。線路部１８ａ−ｂ，１８ｂ−ｂ，１８ｃ−ｂは、線路部１２ｂを構成している。線路部１８ａ−ｃ，１８ｂ−ｃ，１８ｃ−ｃは、線路部１２ｃを構成している。線路部１８ａ−ｄ，１８ｂ−ｄ，１８ｃ−ｄは、線路部１２ｄを構成している。線路部１８ａ−ｅ，１８ｂ−ｅ，１８ｃ−ｅは、線路部１２ｅを構成している。線路部１８ａ−ｆ，１８ｂ−ｆ，１８ｃ−ｆは、線路部１２ｆを構成している。線路部１８ａ−ｇ，１８ｂ−ｇ，１８ｃ−ｇは、線路部１２ｇを構成している。線路部１８ａ−ｈ，１８ｂ−ｈ，１８ｃ−ｈは、線路部１２ｈを構成している。線路部１８ａ−ｉ，１８ｂ−ｉ，１８ｃ−ｉは、線路部１２ｉを構成している。線路部１８ａ−ｊ，１８ｂ−ｊ，１８ｃ−ｊは、線路部１２ｊを構成している。線路部１８ａ−ｋ，１８ｂ−ｋ，１８ｃ−ｋは、線路部１２ｋを構成している。接続部１８ａ−ｌ，１８ｂ−ｌ，１８ｃ−ｌは、接続部１２ｌを構成している。接続部１８ａ−ｍ，１８ｂ−ｍ，１８ｃ−ｍは、接続部１２ｍを構成している。
【００２５】
信号線路２０は、図２ないし図７に示すように、高周波信号（電磁波）が伝送され、線路部１２ａ〜１２ｍ及び接続部１２ｌ，１２ｍが延在している方向に沿って延在している線状の導体である。本実施形態では、信号線路２０は、誘電体シート１８ｂの表面上に形成されており、線路導体２０ａ〜２０ｍにより構成されている。
【００２６】
線路導体２０ａは、線路部１８ｂ−ａにおいてｘ軸方向に沿って延在しており、線路部１８ｂ−ａのｙ軸方向の略中央に位置している。線路導体２０ｂは、線路部１８ｂ−ｂにおいてｙ軸方向に沿って延在しており、線路部１８ｂ−ｂのｘ軸方向の略中央に位置している。線路導体２０ｃは、線路部１８ｂ−ｃにおいてｘ軸方向に沿って延在しており、線路部１８ｂ−ｃのｙ軸方向の略中央に位置している。線路導体２０ｄは、線路部１８ｂ−ｄにおいてｙ軸方向に沿って延在しており、線路部１８ｂ−ｄのｘ軸方向の略中央に位置している。線路導体２０ｅは、線路部１８ｂ−ｅにおいてｘ軸方向に沿って延在しており、線路部１８ｂ−ｅのｙ軸方向の略中央に位置している。線路導体２０ｆは、線路部１８ｂ−ｆにおいてｙ軸方向に沿って延在しており、線路部１８ｂ−ｆのｘ軸方向の略中央に位置している。線路導体２０ｇは、線路部１８ｂ−ｇにおいてｘ軸方向に沿って延在しており、線路部１８ｂ−ｇのｙ軸方向の略中央に位置している。線路導体２０ｈは、線路部１８ｂ−ｈにおいてｙ軸方向に沿って延在しており、線路部１８ｂ−ｈのｘ軸方向の略中央に位置している。線路導体２０ｉは、線路部１８ｂ−ｉにおいてｘ軸方向に沿って延在しており、線路部１８ｂ−ｉのｙ軸方向の略中央に位置している。線路導体２０ｊは、線路部１８ｂ−ｊにおいてｙ軸方向に沿って延在しており、線路部１８ｂ−ｊのｘ軸方向の略中央に位置している。線路導体２０ｋは、線路部１８ｂ−ｋにおいてｘ軸方向に沿って延在しており、線路部１８ｂ−ｋのｙ軸方向の略中央に位置している。線路導体２０ａ〜２０ｋは、この順に並ぶように接続されている。
【００２７】
線路導体２０ｌは、線路導体２０ａのｘ軸方向の負方向側の端部に接続されており、接続部１８ｂ−ｌにおいてｘ軸方向に沿って延在している。線路導体２０ｌのｘ軸方向の負方向側の端部は、図２に示すように、接続部１８ｂ−ｌの略中央に位置している。線路導体２０ｍは、線路導体２０ｋのｘ軸方向の正方向側の端部に接続されており、接続部１８ｂ−ｍにおいてｘ軸方向に沿って延在している。線路導体２０ｍのｘ軸方向の正方向側の端部は、図３に示すように、接続部１８ｂ−ｍの略中央に位置している。
【００２８】
信号線路２０の線幅は、例えば、３００μｍ〜７００μｍである。本実施形態では、信号線路２０の線幅は３００μｍである。信号線路２０は、銀や銅を主成分とする比抵抗の小さな金属材料により作製されている。ここで、信号線路２０が誘電体シート１８ｂの表面に形成されているとは、誘電体シート１８ｂの表面にめっきにより形成された金属箔がパターニングされて信号線路２０が形成されていることや、誘電体シート１８ｂの表面に張り付けられた金属箔がパターニングされて信号線路２０が形成されていることを指す。また、信号線路２０の表面には平滑化が施されるので、信号線路２０が誘電体シート１８ｂに接している面の表面粗さは信号線路２０が誘電体シート１８ｂに接していない面の表面粗さよりも大きくなる。
【００２９】
基準グランド導体２２は、図２ないし図７に示すように、誘電体素体１２において信号線路２０よりもｚ軸方向の正方向側に設けられているベタ状の導体層である。より詳細には、基準グランド導体２２は、誘電体シート１８ａの表面に形成され、誘電体シート１８ａを介して信号線路２０と対向している。基準グランド導体２２には、信号線路２０と重なる位置には開口が設けられていない。高周波信号線路１０の特性インピーダンスは、主に、信号線路２０と基準グランド導体２２との対向面積及び距離、並びに、誘電体シート１８ａ〜１８ｃの比誘電率に基づいて定まる。そこで、高周波信号線路１０の特性インピーダンスを５０Ωに設定する場合には、例えば、信号線路２０と基準グランド導体２２によって高周波信号線路１０の特性インピーダンスが５０Ωよりもやや高めの５５Ωとなるように設計する。そして、信号線路２０と基準グランド導体２２と補助グランド導体２４によって高周波信号線路１０の特性インピーダンスが５０Ωとなるように、後述する補助グランド導体２４の形状を調整する。
【００３０】
基準グランド導体２２は、銀や銅を主成分とする比抵抗の小さな金属材料により作製されている。ここで、基準グランド導体２２が誘電体シート１８ａの表面に形成されているとは、誘電体シート１８ａの表面にめっきにより形成された金属箔がパターニングされて基準グランド導体２２が形成されていることや、誘電体シート１８ａの表面に張り付けられた金属箔がパターニングされて基準グランド導体２２が形成されていることを指す。また、基準グランド導体２２の表面には平滑化が施されるので、基準グランド導体２２が誘電体シート１８ａに接している面の表面粗さは基準グランド導体２２が誘電体シート１８ａに接していない面の表面粗さよりも大きくなる。
【００３１】
また、基準グランド導体２２は、図２ないし図７に示すように、主要導体２２ａ〜２２ｋ及び端子導体２２ｌ，２２ｍにより構成されている。主要導体２２ａは、線路部１８ａ−ａの表面に設けられ、ｘ軸方向に沿って延在している。主要導体２２ｂは、線路部１８ａ−ｂの表面に設けられ、ｙ軸方向に沿って延在している。主要導体２２ｃは、線路部１８ａ−ｃの表面に設けられ、ｘ軸方向に沿って延在している。主要導体２２ｄは、線路部１８ａ−ｄの表面に設けられ、ｙ軸方向に沿って延在している。主要導体２２ｅは、線路部１８ａ−ｅの表面に設けられ、ｘ軸方向に沿って延在している。主要導体２２ｆは、線路部１８ａ−ｆの表面に設けられ、ｙ軸方向に沿って延在している。主要導体２２ｇは、線路部１８ａ−ｇの表面に設けられ、ｘ軸方向に沿って延在している。主要導体２２ｈは、線路部１８ａ−ｈの表面に設けられ、ｙ軸方向に沿って延在している。主要導体２２ｉは、線路部１８ａ−ｉの表面に設けられ、ｘ軸方向に沿って延在している。主要導体２２ｊは、線路部１８ａ−ｊの表面に設けられ、ｙ軸方向に沿って延在している。主要導体２２ｋは、線路部１８ａ−ｋの表面に設けられ、ｘ軸方向に沿って延在している。主要導体２２ａ〜２２ｋは、この順に並ぶように接続されている。
【００３２】
端子導体２２ｌは、接続部１８ａ−ｌの表面に設けられ、矩形状の環をなしている。端子導体２２ｌは、主要導体２２ａのｘ軸方向の負方向側の端部に接続されている。端子導体２２ｍは、接続部１８ａ−ｍの表面に設けられ、矩形状の環をなしている。端子導体２２ｍは、主要導体２２ｋのｘ軸方向の正方向側の端部に接続されている。
【００３３】
補助グランド導体２４は、図２ないし図７に示すように、信号線路２０よりもｚ軸方向の負方向側に設けられている。補助グランド導体２４には、信号線路２０に沿って並ぶ複数の開口３０が設けられている。より詳細には、補助グランド導体２４は、誘電体シート１８ｃの表面に形成され、誘電体シート１８ｂを介して信号線路２０と対向している。補助グランド導体２４は、シールドとしても機能するグランド導体である。以下では、補助グランド導体２４のｚ軸方向の正方向側の主面を表面と称し、基準グランド導体２４のｚ軸方向の負方向側の主面を裏面と称す。
【００３４】
補助グランド導体２４は、銀や銅を主成分とする比抵抗の小さな金属材料により作製されている。ここで、補助グランド導体２４が誘電体シート１８ｃの表面に形成されているとは、誘電体シート１８ｃの表面にめっきにより形成された金属箔がパターニングされて補助グランド導体２４が形成されていることや、誘電体シート１８ｃの表面に張り付けられた金属箔がパターニングされて補助グランド導体２４が形成されていることを指す。また、補助グランド導体２４の表面には平滑化が施されるので、補助グランド導体２４が誘電体シート１８ｃに接している面の表面粗さは補助グランド導体２４が誘電体シート１８ｃに接していない面の表面粗さよりも大きくなる。
【００３５】
また、補助グランド導体２４は、図２ないし図７に示すように、主要導体２４ａ〜２４ｋ及び端子導体２４ｌ，２４ｍにより構成されている。主要導体２４ａは、線路部１８ｃ−ａの表面に設けられ、ｘ軸方向に沿って延在している。主要導体２４ｂは、線路部１８ｃ−ｂの表面に設けられ、ｙ軸方向に沿って延在している。主要導体２４ｃは、線路部１８ｃ−ｃの表面に設けられ、ｘ軸方向に沿って延在している。主要導体２４ｄは、線路部１８ｃ−ｄの表面に設けられ、ｙ軸方向に沿って延在している。主要導体２４ｅは、線路部１８ｃ−ｅの表面に設けられ、ｘ軸方向に沿って延在している。主要導体２４ｆは、線路部１８ｃ−ｆの表面に設けられ、ｙ軸方向に沿って延在している。主要導体２４ｇは、線路部１８ｃ−ｇの表面に設けられ、ｘ軸方向に沿って延在している。主要導体２４ｈは、線路部１８ｃ−ｈの表面に設けられ、ｙ軸方向に沿って延在している。主要導体２４ｉは、線路部１８ｃ−ｉの表面に設けられ、ｘ軸方向に沿って延在している。主要導体２４ｊは、線路部１８ｃ−ｊの表面に設けられ、ｙ軸方向に沿って延在している。主要導体２４ｋは、線路部１８ｃ−ｋの表面に設けられ、ｘ軸方向に沿って延在している。主要導体２４ａ〜２４ｋは、この順に並ぶように接続されている。
【００３６】
端子導体２４ｌは、接続部１８ｃ−ｌの表面に設けられ、矩形状の環をなしている。端子導体２４ｌは、主要導体２４ａのｘ軸方向の負方向側の端部に接続されている。端子導体２４ｍは、接続部１８ｃ−ｍの表面に設けられ、矩形状の環をなしている。端子導体２４ｍは、主要導体２４ｋのｘ軸方向の正方向側の端部に接続されている。
【００３７】
また、主要導体２４ａ〜２４ｋには、図２ないし図７に示すように、信号線路２０に沿ってに延在する長方形状をなす複数の開口３０が設けられている。また、主要導体２４ａ〜２４ｅにおいて開口３０に挟まれた部分をブリッジ部９０と呼ぶ。ブリッジ部９０は、信号線路２０に直交する方向に延在している線状の導体である。これにより、主要導体２４ａ〜２４ｋは、梯子状をなしている。複数の開口３０及び複数のブリッジ部９０とは、ｚ軸方向から平面視したときに、信号線路２０に交互に重なっている。そして、本実施形態では、信号線路２０は、開口３０及びブリッジ部９０を横切っている。
【００３８】
また、補助グランド導体２４は、前記の通り、高周波信号線路１０の特性インピーダンスが５０Ωとなるように最終的な調整を行うために設計されている。更に、補助グランド導体２４のブリッジ部９０のｘ軸方向の間隔は、使用帯域内において輻射ノイズが発生しないように設計される。
【００３９】
以上のように、信号線路２０は、基準グランド導体２２及び補助グランド導体２４によってｚ軸方向の両側から挟まれている。すなわち、信号線路２０、基準グランド導体２２及び補助グランド導体２４は、トリプレート型のストリップライン構造をなしている。また、信号線路２０と基準グランド導体２２との間隔（ｚ軸方向における距離）は、図８及び図９に示すように誘電体シート１８ａの厚さＴ１と略等しく、例えば、５０μｍ〜３００μｍである。本実施形態では、信号線路２０と基準グランド導体２２との間隔は、１００μｍである。一方、信号線路２０と補助グランド導体２４との間隔（ｚ軸方向における距離）は、図８及び図９に示すように誘電体シート１８ｂの厚さＴ２と略等しく、例えば、１０μｍ〜１００μｍである。本実施形態では、信号線路２０と補助グランド導体２４との間隔は、５０μｍである。すなわち、補助グランド導体２４と信号線路２０とのｚ軸方向における距離は、基準グランド導体２２と信号線路２０とのｚ軸方向における距離よりも小さくなるように設計されている。
【００４０】
外部端子１６ａは、図１及び図２に示すように、接続部１８ａ−ｌの表面上の中央に形成されている矩形状の導体である。よって、外部端子１６ａは、ｚ軸方向から平面視したときに、信号線路２０の線路導体２０ｌのｘ軸方向の負方向側の端部と重なっている。外部端子１６ｂは、図１及び図３に示すように、接続部１８ａ−ｍの表面上の中央に形成されている矩形状の導体である。よって、外部端子１６ｂは、ｚ軸方向から平面視したときに、信号線路２０の線路導体２０ｍのｘ軸方向の正方向側の端部と重なっている。
【００４１】
外部端子１６ａ，１６ｂは、銀や銅を主成分とする比抵抗の小さな金属材料により作製されている。また、外部端子１６ａ，１６ｂの表面には、Ｎｉ／Ａｕめっきが施されている。ここで、外部端子１６ａ，１６ｂが誘電体シート１８ａの表面に形成されているとは、誘電体シート１８ａの表面にめっきにより形成された金属箔がパターニングされて外部端子１６ａ，１６ｂが形成されていることや、誘電体シート１８ａの表面に張り付けられた金属箔がパターニングされて外部端子１６ａ，１６ｂが形成されていることを指す。また、外部端子１６ａ，１６ｂの表面には平滑化が施されるので、外部端子１６ａ，１６ｂが誘電体シート１８ａに接している面の表面粗さは外部端子１６ａ，１６ｂが誘電体シート１８ａに接していない面の表面粗さよりも大きくなる。
【００４２】
ビアホール導体ｂ１は、図２に示すように、誘電体シート１８ａの接続部１８ａ−ｌをｚ軸方向に貫通しており、外部端子１６ａと線路導体２０ｌのｘ軸方向の負方向側の端部とを接続している。ビアホール導体ｂ２は、図３に示すように、誘電体シート１８ａの接続部１８ａ−ｍをｚ軸方向に貫通しており、外部端子１６ｂと線路導体２０ｍのｘ軸方向の正方向側の端部とを接続している。これにより、信号線路２０は、外部端子１６ａ，１６ｂ間に接続されている。ビアホール導体ｂ１，ｂ２は、誘電体シート１８ａに形成された貫通孔内に金属材料が充填されることによって形成されている。
【００４３】
複数のビアホール導体Ｂ１は、図２ないし図６に示すように、線路部１８ａ−ａ，１８ａ−ｂ，１８ａ−ｃ，１８ａ−ｄ，１８ａ−ｅ，１８ａ−ｆ，１８ａ−ｇ，１８ａ−ｈ，１８ａ−ｉ，１８ａ−ｊ，１８ａ−ｋをｚ軸方向に貫通している。複数のビアホール導体Ｂ１は、図２及び図３に示すように、線路部１８ａ−ａ，１８ａ−ｋにおいて、各ブリッジ部９０よりもｙ軸方向の正方向側に設けられており、ｘ軸方向に一列に並んでいる。また、複数のビアホール導体Ｂ１は、図４に示すように、線路部１８ａ−ｂ，１８ａ−ｆ，１８ａ−ｊにおいて、各ブリッジ部９０よりもｘ軸方向の正方向側に設けられており、ｙ軸方向に一列に並んでいる。また、複数のビアホール導体Ｂ１は、図５に示すように、線路部１８ａ−ｄ，１８ａ−ｈにおいて、各ブリッジ部９０よりもｘ軸方向の負方向側に設けられており、ｙ軸方向に一列に並んでいる。また、複数のビアホール導体Ｂ１は、図６及び図７に示すように、線路部１８ａ−ｃ，１８ａ−ｅ，１８ａ−ｇ，１８ａ−ｉにおいて、各ブリッジ部９０よりもｙ軸方向の正方向側に設けられており、ｘ軸方向に一列に並んでいる。
【００４４】
複数のビアホール導体Ｂ２は、図２ないし図６に示すように、線路部１８ｂ−ａ，１８ｂ−ｂ，１８ｂ−ｃ，１８ｂ−ｄ，１８ｂ−ｅ，１８ｂ−ｆ，１８ｂ−ｇ，１８ｂ−ｈ，１８ｂ−ｉ，１８ｂ−ｊ，１８ｂ−ｋをｚ軸方向に貫通している。複数のビアホール導体Ｂ２は、図２及び図３に示すように、線路部１８ｂ−ａ，１８ｂ−ｋにおいて、各ブリッジ部９０よりもｙ軸方向の正方向側に設けられており、ｘ軸方向に一列に並んでいる。また、複数のビアホール導体Ｂ２は、図４に示すように、線路部１８ｂ−ｂ，１８ｂ−ｆ，１８ｂ−ｊにおいて、各ブリッジ部９０よりもｘ軸方向の正方向側に設けられており、ｙ軸方向に一列に並んでいる。また、複数のビアホール導体Ｂ２は、図５に示すように、線路部１８ｂ−ｄ，１８ｂ−ｈにおいて、各ブリッジ部９０よりもｘ軸方向の負方向側に設けられており、ｙ軸方向に一列に並んでいる。また、複数のビアホール導体Ｂ２は、図６及び図７に示すように、線路部１８ｂ−ｃ，１８ｂ−ｅ，１８ｂ−ｇ，１８ｂ−ｉにおいて、各ブリッジ部９０よりもｙ軸方向の正方向側に設けられており、ｘ軸方向に一列に並んでいる。
【００４５】
ビアホール導体Ｂ１とビアホール導体Ｂ２とは、互いに接続されることによって１本のビアホール導体を構成しており、基準グランド導体２２と補助グランド導体２４とを接続している。ビアホール導体Ｂ１，Ｂ２は、誘電体シート１８ａ，１８ｂに形成された貫通孔内に金属材料が充填されることによって形成されている。
【００４６】
複数のビアホール導体Ｂ３は、図２ないし図６に示すように、線路部１８ａ−ａ，１８ａ−ｂ，１８ａ−ｃ，１８ａ−ｄ，１８ａ−ｅ，１８ａ−ｆ，１８ａ−ｇ，１８ａ−ｈ，１８ａ−ｉ，１８ａ−ｊ，１８ａ−ｋをｚ軸方向に貫通している。複数のビアホール導体Ｂ３は、図２及び図３に示すように、線路部１８ａ−ａ，１８ａ−ｋにおいて、各ブリッジ部９０よりもｙ軸方向の負方向側に設けられており、ｘ軸方向に一列に並んでいる。また、複数のビアホール導体Ｂ３は、図４に示すように、線路部１８ａ−ｂ，１８ａ−ｆ，１８ａ−ｊにおいて、各ブリッジ部９０よりもｘ軸方向の負方向側に設けられており、ｙ軸方向に一列に並んでいる。また、複数のビアホール導体Ｂ３は、図５に示すように、線路部１８ａ−ｄ，１８ａ−ｈにおいて、各ブリッジ部９０よりもｘ軸方向の正方向側に設けられており、ｙ軸方向に一列に並んでいる。また、複数のビアホール導体Ｂ３は、図６及び図７に示すように、線路部１８ａ−ｃ，１８ａ−ｅ，１８ａ−ｇ，１８ａ−ｉにおいて、各ブリッジ部９０よりもｙ軸方向の負方向側に設けられており、ｘ軸方向に一列に並んでいる。
【００４７】
複数のビアホール導体Ｂ４は、図２ないし図６に示すように、線路部１８ｂ−ａ，１８ｂ−ｂ，１８ｂ−ｃ，１８ｂ−ｄ，１８ｂ−ｅ，１８ｂ−ｆ，１８ｂ−ｇ，１８ｂ−ｈ，１８ｂ−ｉ，１８ｂ−ｊ，１８ｂ−ｋをｚ軸方向に貫通している。複数のビアホール導体Ｂ４は、図２及び図３に示すように、線路部１８ｂ−ａ，１８ｂ−ｋにおいて、各ブリッジ部９０よりもｙ軸方向の負方向側に設けられており、ｘ軸方向に一列に並んでいる。また、複数のビアホール導体Ｂ４は、図４に示すように、線路部１８ｂ−ｂ，１８ｂ−ｆ，１８ｂ−ｊにおいて、各ブリッジ部９０よりもｘ軸方向の負方向側に設けられており、ｙ軸方向に一列に並んでいる。また、複数のビアホール導体Ｂ４は、図５に示すように、線路部１８ｂ−ｄ，１８ｂ−ｈにおいて、各ブリッジ部９０よりもｘ軸方向の正方向側に設けられており、ｙ軸方向に一列に並んでいる。また、複数のビアホール導体Ｂ４は、図６及び図７に示すように、線路部１８ｂ−ｃ，１８ｂ−ｅ，１８ｂ−ｇ，１８ｂ−ｉにおいて、各ブリッジ部９０よりもｙ軸方向の負方向側に設けられており、ｘ軸方向に一列に並んでいる。
【００４８】
ビアホール導体Ｂ３とビアホール導体Ｂ４とは、互いに接続されることによって１本のビアホール導体を構成しており、基準グランド導体２２と補助グランド導体２４とを接続している。ビアホール導体Ｂ３，Ｂ４は、誘電体シート１８ａ，１８ｂに形成された貫通孔内に金属材料が充填されることによって形成されている。
【００４９】
ここで、ビアホール導体Ｂ１〜Ｂ４は、ｚ軸方向から平面視したときに、誘電体素体１２において信号線路２０よりも角Ｃ１〜Ｃ１０の劣角側であって、かつ、角Ｃ１〜Ｃ１０の二等分線上には設けられていない。本実施形態では、ビアホール導体Ｂ１〜Ｂ４は、誘電体素体１２において角Ｃ１〜Ｃ１０の二等分線上には設けられていない。以下に、角Ｃ２〜Ｃ９を例に挙げて説明する。
【００５０】
まず、劣角について説明する。劣角とは、線路部１２ａ〜１２ｋが接続されることにより形成される角Ｃ１〜Ｃ１０において、小さい方（すなわち、１８０度以下）の角度を意味する。また、線路部１２ａ〜１２ｋが接続されることにより形成される角Ｃ１〜Ｃ１０において、大きい方（すなわち、１８０度以下）の角度を優角とする。
【００５１】
図１０に示すように、角Ｃ２，Ｃ６における角の二等分線を二等分線Ｌ１とする。角Ｃ２，Ｃ６では、二等分線Ｌ１における信号線路２０よりも劣角側の部分（図１０の太線部分）には、ビアホール導体Ｂ１〜Ｂ４が設けられていない。更に、本実施形態では、角Ｃ２，Ｃ６では、二等分線Ｌ１における信号線路２０よりも優角側の部分にも、ビアホール導体Ｂ１〜Ｂ４が設けられていない。
【００５２】
また、図１０に示すように、角Ｃ３，Ｃ７における角の二等分線を二等分線Ｌ２とする。角Ｃ３，Ｃ７では、二等分線Ｌ２における信号線路２０よりも劣角側の部分（図１０の太線部分）には、ビアホール導体Ｂ１〜Ｂ４が設けられていない。更に、本実施形態では、角Ｃ３，Ｃ７では、二等分線Ｌ２における信号線路２０よりも優角側の部分にも、ビアホール導体Ｂ１〜Ｂ４が設けられていない。
【００５３】
図１１に示すように、角Ｃ４，Ｃ８における角の二等分線を二等分線Ｌ３とする。角Ｃ４，Ｃ８では、二等分線Ｌ３における信号線路２０よりも劣角側の部分（図１１の太線部分）には、ビアホール導体Ｂ１〜Ｂ４が設けられていない。更に、本実施形態では、角Ｃ４，Ｃ８では、二等分線Ｌ３における信号線路２０よりも優角側の部分にも、ビアホール導体Ｂ１〜Ｂ４が設けられていない。
【００５４】
また、図１１に示すように、角Ｃ５，Ｃ９における角の二等分線を二等分線Ｌ４とする。角Ｃ５，Ｃ９では、二等分線Ｌ４における信号線路２０よりも劣角側の部分（図１１の太線部分）には、ビアホール導体Ｂ１〜Ｂ４が設けられていない。更に、本実施形態では、角Ｃ５，Ｃ９では、二等分線Ｌ４における信号線路２０よりも優角側の部分にも、ビアホール導体Ｂ１〜Ｂ４が設けられていない。
【００５５】
ここで、図１０に示すように、線路部１２ｂ，１２ｆにおいて二等分線Ｌ１に対して最も近くに設けられているビアホール導体をビアホール導体Ｂａと呼ぶ。また、線路部１２ｃ，１２ｇにおいて二等分線Ｌ１に対して最も近くに設けられているビアホール導体をビアホール導体Ｂｂと呼ぶ。更に、信号線路２０においてビアホール導体Ｂａに最も近接している部分を部分Ｐａとする。信号線路２０においてビアホール導体Ｂｂに最も近接している部分を部分Ｐｂとする。このとき、部分Ｐａと部分Ｐｂとの間の信号線路２０の長さＬａは、信号線路２０を伝送される高周波信号の波長の１／２以下が好ましく、１／４以下がより好ましい。例えば、高周波信号の周波数が２ＧＨzである場合には、部分Ｐａと部分Ｐｂとの間の信号線路２０の長さＬａは、高周波信号の１／４以下である場合には０．０３７５ｍ以下である。
【００５６】
また、図１０に示すように、線路部１２ｃ，１２ｇにおいて二等分線Ｌ２に対して最も近くに設けられているビアホール導体をビアホール導体Ｂｃと呼ぶ。また、線路部１２ｄ，１２ｈにおいて二等分線Ｌ２に対して最も近くに設けられているビアホール導体をビアホール導体Ｂｄと呼ぶ。更に、信号線路２０においてビアホール導体Ｂｃに最も近接している部分を部分Ｐｃとする。信号線路２０においてビアホール導体Ｂｄに最も近接している部分を部分Ｐｄとする。このとき、部分Ｐｃと部分Ｐｄとの間の信号線路２０の長さＬｂは、信号線路２０を伝送される高周波信号の波長の１／２以下が好ましく、１／４以下がより好ましい。
【００５７】
また、図１１に示すように、線路部１２ｄ，１２ｈにおいて二等分線Ｌ３に対して最も近くに設けられているビアホール導体をビアホール導体Ｂｅと呼ぶ。また、線路部１２ｅ，１２ｉにおいて二等分線Ｌ３に対して最も近くに設けられているビアホール導体をビアホール導体Ｂｆと呼ぶ。更に、信号線路２０においてビアホール導体Ｂｅに最も近接している部分を部分Ｐｅとする。信号線路２０においてビアホール導体Ｂｆに最も近接している部分を部分Ｐｆとする。このとき、部分Ｐｅと部分Ｐｆとの間の信号線路２０の長さＬｃは、信号線路２０を伝送される高周波信号の波長の１／２以下が好ましく、１／４以下がより好ましい。
【００５８】
また、図１１に示すように、線路部１２ｅ，１２ｉにおいて二等分線Ｌ４に対して最も近くに設けられているビアホール導体をビアホール導体Ｂｇと呼ぶ。また、線路部１２ｆ，１２ｊにおいて二等分線Ｌ４に対して最も近くに設けられているビアホール導体をビアホール導体Ｂｈと呼ぶ。更に、信号線路２０においてビアホール導体Ｂｇに最も近接している部分を部分Ｐｇとする。信号線路２０においてビアホール導体Ｂｈに最も近接している部分を部分Ｐｈとする。このとき、部分Ｐｇと部分Ｐｈとの間の信号線路２０の長さＬｄは、信号線路２０を伝送される高周波信号の波長の１／２以下が好ましく、１／４以下がより好ましい。
【００５９】
更に、部分Ｐｂと部分Ｐｃとの間の信号線路２０の長さＬｅは、信号線路２０を伝送される高周波信号の波長の１／２以下が好ましく、１／４以下がより好ましい。同様に、部分Ｐｆと部分Ｐｇとの間の信号線路２０の長さＬｆは、信号線路２０を伝送される高周波信号の波長の１／２以下が好ましく、１／４以下がより好ましい。
【００６０】
保護層１４は、誘電体シート１８ａの表面の略全面を覆っている絶縁膜である。これにより、保護層１４は、基準グランド導体２２を覆っている。保護層１４は、例えば、レジスト材等の可撓性樹脂からなる。
【００６１】
また、保護層１４は、図２に示すように、線路部１４ａ〜１４ｋ及び接続部１４ｌ，１４ｍにより構成されている。線路部１４ａ〜１４ｋは、線路部１８ａ−ａ〜１８ａ−ｋの表面の全面を覆うことにより、主要導体２２ａ〜２２ｋを覆っている。
【００６２】
接続部１４ｌは、線路部１４ａのｘ軸方向の負方向側の端部に接続されており、接続部１８ａ−ｌの表面を覆っている。ただし、接続部１４ｌには、開口Ｈａ〜Ｈｄが設けられている。開口Ｈａは、接続部１４ｌの中央に設けられている矩形状の開口である。外部端子１６ａは、開口Ｈａを介して外部に露出している。また、開口Ｈｂは、開口Ｈａよりもｙ軸方向の正方向側に設けられている矩形状の開口である。開口Ｈｃは、開口Ｈａよりもｘ軸方向の負方向側に設けられている矩形状の開口である。開口Ｈｄは、開口Ｈａよりもｙ軸方向の負方向側に設けられている矩形状の開口である。端子導体２２ｌは、開口Ｈｂ〜Ｈｄを介して外部に露出することにより、外部端子として機能する。
【００６３】
接続部１４ｍは、線路部１４ｋのｘ軸方向の正方向側の端部に接続されており、接続部１８ａ−ｍの表面を覆っている。ただし、接続部１４ｍには、開口Ｈｅ〜Ｈｈが設けられている。開口Ｈｅは、接続部１４ｍの中央に設けられている矩形状の開口である。外部端子１６ｂは、開口Ｈｅを介して外部に露出している。また、開口Ｈｆは、開口Ｈｅよりもｙ軸方向の正方向側に設けられている矩形状の開口である。開口Ｈｇは、開口Ｈｅよりもｘ軸方向の正方向側に設けられている矩形状の開口である。開口Ｈｈは、開口Ｈｅよりもｙ軸方向の負方向側に設けられている矩形状の開口である。端子導体２２ｍは、開口Ｈｆ〜Ｈｈを介して外部に露出することにより、外部端子として機能する。
【００６４】
以上のように構成された高周波信号線路１０では、信号線路２０の特性インピーダンスは、インピーダンスＺ１とインピーダンスＺ２との間を周期的に変動する。より詳細には、信号線路２０において開口３０と重なっている部分では、信号線路２０と基準グランド導体２２及び補助グランド導体２４との間に相対的に小さな容量が形成される。そのため、信号線路２０において開口３０と重なっている部分の特性インピーダンスは、相対的に高いインピーダンスＺ１となる。
【００６５】
一方、信号線路２０においてブリッジ部９０と重なっている部分では、信号線路２０と基準グランド導体２２及び補助グランド導体２４との間に相対的に大きな容量が形成される。そのため、信号線路２０においてブリッジ部９０と重なっている部分の特性インピーダンスは、相対的に低いインピーダンスＺ２となる。そして、開口３０とブリッジ部９０とは信号線路２０に沿って交互に並んでいる。そのため、信号線路２０の特性インピーダンスは、インピーダンスＺ１とインピーダンスＺ２との間を周期的に変動する。インピーダンスＺ１は、例えば、５５Ωであり、インピーダンスＺ２は、例えば、４５Ωである。そして、信号線路２０全体の平均の特性インピーダンスは、例えば、５０Ωである。
【００６６】
コネクタ１００ａ，１００ｂはそれぞれ、図１に示すように、接続部１２ｌ，１２ｍの表面上に実装される。コネクタ１００ａ，１００ｂの構成は同じであるので、以下にコネクタ１００ｂの構成を例に挙げて説明する。図１２は、高周波信号線路１０のコネクタ１００ｂの外観斜視図である。図１３は、高周波信号線路１０のコネクタ１００ｂの断面構造図である。
【００６７】
コネクタ１００ｂは、図１２及び図１３に示すように、コネクタ本体１０２、外部端子１０４，１０６、中心導体１０８及び外部導体１１０により構成されている。コネクタ本体１０２は、矩形状の板部材に円筒部材が連結された形状をなしており、樹脂等の絶縁材料により作製されている。
【００６８】
外部端子１０４は、コネクタ本体１０２の板部材のｚ軸方向の負方向側の面において、外部端子１６ｂと対向する位置に設けられている。外部端子１０６は、コネクタ本体１０２の板部材のｚ軸方向の負方向側の面において、開口Ｈｆ〜Ｈｈを介して露出している端子導体２２ｍに対応する位置に設けられている。
【００６９】
中心導体１０８は、コネクタ本体１０２の円筒部材の中心に設けられており、外部端子１０４と接続されている。中心導体１０８は、高周波信号が入力又は出力する信号端子である。外部導体１１０は、コネクタ本体１０２の円筒部材の内周面に設けられており、外部端子１０６と接続されている。外部導体１１０は、接地電位に保たれるグランド端子である。
【００７０】
以上のように構成されたコネクタ１００ｂは、図１２に示すように、外部端子１０４が外部端子１６ｂと接続され、外部端子１０６が端子導体２２ｍと接続されるように、接続部１２ｍの表面上に実装される。これにより、信号線路２０は、中心導体１０８に電気的に接続されている。また、基準グランド導体２２及び補助グランド導体２４は、外部導体１１０に電気的に接続されている。
【００７１】
高周波信号線路１０は、以下に説明するように用いられる。図１４は、高周波信号線路１０が用いられた電子機器２００をｙ軸方向から平面視した図である。図１５は、高周波信号線路１０が用いられた電子機器２００をｚ軸方向から平面視した図である。
【００７２】
高周波信号線路１０は、図１４及び図１５に示すように、電子機器２００に用いられる。電子機器２００は、高周波信号線路１０、回路基板２０２ａ，２０２ｂ、レセプタクル２０４ａ，２０４ｂ、バッテリーパック（金属体）２０６及び筐体２１０を備えている。
【００７３】
筐体２１０は、高周波信号線路１０、回路基板２０２ａ，２０２ｂ、レセプタクル２０４ａ，２０４ｂ及びバッテリーパック２０６を収容している。回路基板２０２ａには、例えば、アンテナを含む送信回路又は受信回路が設けられている。回路基板２０２ｂには、例えば、給電回路が設けられている。バッテリーパック２０６は、例えば、リチウムイオン２次電池であり、その表面が金属カバーにより覆われた構造を有している。回路基板２０２ａ、バッテリーパック２０６及び回路基板２０２ｂは、ｘ軸方向の負方向側から正方向側へとこの順に並んでいる。
【００７４】
レセプタクル２０４ａ，２０４ｂはそれぞれ、回路基板２０２ａ，２０２ｂのｚ軸方向の負方向側の主面上に設けられている。レセプタクル２０４ａ，２０４ｂにはそれぞれ、コネクタ１００ａ，１００ｂが接続される。これにより、コネクタ１００ａ，１００ｂの中心導体１０８には、回路基板２０２ａ，２０２ｂ間を伝送される例えば２ＧＨzの周波数を有する高周波信号がレセプタクル２０４ａ，２０４ｂを介して印加される。また、コネクタ１００ａ，１００ｂの外部導体１１０には、回路基板２０２ａ，２０２ｂ及びレセプタクル２０４ａ，２０４ｂを介して、グランド電位に保たれる。これにより、高周波信号線路１０は、回路基板２０２ａ，２０２ｂ間を接続している。
【００７５】
ここで、誘電体素体１２の表面（より正確には、保護層１４）は、バッテリーパック２０６に対して接触している。そして、誘電体素体１２とバッテリーパック２０６とは、接着剤等により固定されている。誘電体素体１２の表面は、信号線路２０に関して基準グランド導体２２側に位置する主面である。よって、信号線路２０とバッテリーパック２０６との間には、ベタ状の基準グランド導体２２が位置している。
【００７６】
ところで、高周波信号線路１０を回路基板２０２ａ，２０２ｂに取り付ける際には、コネクタ１００ａをｘ軸方向の負方向側に引っ張り、コネクタ１００ｂをｘ軸方向の正方向側に引っ張る。これにより、誘電体素体１２がｘ軸方向に延びる。その結果、引っ張られた状態のコネクタ１００ａ，１００ｂ間の距離は、引っ張られていない状態のコネクタ１００ａ，１００ｂ間の距離よりも長くなる。すなわち、高周波信号線路１０の長さを調整することができる。よって、コネクタ１００ａ，１００ｂをレセプタクル２０４ａ，２０４ｂに容易に装着することが可能となる。
【００７７】
（高周波信号線路の製造方法）
以下に、高周波信号線路１０の製造方法について図２ないし図７を参照しながら説明する。以下では、一つの高周波信号線路１０が作製される場合を例にとって説明するが、実際には、大判の誘電体シートが積層及びカットされることにより、同時に複数の高周波信号線路１０が作製される。
【００７８】
まず、表面上の全面に銅箔（金属膜）が形成された熱可塑性樹脂からなる誘電体シート１８ａ〜１８ｃを準備する。具体的には、誘電体シート１８ａ〜１８ｃの表面に銅箔を張り付ける。更に、誘電体シート１８ａ〜１８ｃの銅箔の表面に、例えば、防錆のための亜鉛鍍金を施して、平滑化する。誘電体シート１８ａ〜１８ｃは、液晶ポリマーである。また、銅箔の厚さは、１０μｍ〜２０μｍである。
【００７９】
次に、誘電体シート１８ａの表面上に形成された銅箔をパターニングすることにより、図２ないし図７に示す外部端子１６ａ，１６ｂ及び基準グランド導体２２を誘電体シート１８ａの表面上に形成する。具体的には、誘電体シート１８ａの表面の銅箔上に、図２ないし図７に示す外部端子１６ａ，１６ｂ及び基準グランド導体２２と同じ形状のレジストを印刷する。そして、銅箔に対してエッチング処理を施すことにより、レジストにより覆われていない部分の銅箔を除去する。その後、レジスト除去液を吹き付けてレジストを除去する。これにより、図２ないし図７に示すような、外部端子１６ａ，１６ｂ及び基準グランド導体２２が誘電体シート１８ａの表面上にフォトリソグラフィ工程により形成される。
【００８０】
次に、図２ないし図７に示す信号線路２０を誘電体シート１８ｂの表面上に形成する。更に、図２ないし図７に示す補助グランド導体２４を誘電体シート１８ｃの表面に形成する。なお、信号線路２０及び補助グランド導体２４の形成工程は、外部端子１６ａ，１６ｂ及び基準グランド導体２２の形成工程と同じであるので説明を省略する。
【００８１】
次に、誘電体シート１８ａ，１８ｂのビアホール導体ｂ１，ｂ２，Ｂ１〜Ｂ４が形成される位置にレーザービームを照射することによって貫通孔を形成する。そして、貫通孔に導電性ペーストを充填し、ビアホール導体ｂ１，ｂ２，Ｂ１〜Ｂ４を形成する。
【００８２】
次に、誘電体シート１８ａ〜１８ｃをｚ軸方向の正方向側から負方向側へとこの順に積み重ねて誘電体素体１２を形成する。そして、誘電体シート１８ａ〜１８ｃに対してｚ軸方向の正方向側及び負方向側から熱及び圧力を加えることにより、誘電体シート１８ａ〜１８ｃを一体化する。
【００８３】
次に、樹脂（レジスト）ペーストをスクリーン印刷により塗布することにより、誘電体シート１８ａの表面上に基準グランド導体２２を覆う保護層１４を形成する。
【００８４】
最後に、接続部１２ｌ，１２ｍ上の外部端子１６ａ，１６ｂ及び端子導体２２ｌ，２２ｍ上にはんだを用いてコネクタ１００ａ，１００ｂを実装する。これにより、図１に示す高周波信号線路１０が得られる。
【００８５】
（効果）
以上のように構成された高周波信号線路１０によれば、ビアホール導体Ｂ１〜Ｂ４が破損することを抑制できる。より詳細には、高周波信号線路１０が回路基板２０２ａ，２０２ｂに取り付けられる際には、コネクタ１００ａがｘ軸方向の負方向側に引っ張られ、コネクタ１００ｂがｘ軸方向の正方向側に引っ張られる。この際、角Ｃ１〜Ｃ１０の劣角が広がるように誘電体素体１２が変形する。特に、角Ｃ１〜Ｃ１０において、二等分線Ｌ１〜Ｌ４における信号線路２０よりも劣角側の部分（図１０及び図１１の太線部分）では、誘電体素体１２が二等分線Ｌ１〜Ｌ４に直交する方向に引っ張られて大きく変形する。そこで、高周波信号線路１０では、ビアホール導体Ｂ１〜Ｂ４は、ｚ軸方向から平面視したときに、誘電体素体１２において信号線路２０よりも角Ｃ１〜Ｃ１０の劣角側であって、かつ、角Ｃ１〜Ｃ１０の二等分線Ｌ１〜Ｌ４上には設けられていない。これにより、ビアホール導体Ｂ１〜Ｂ４が破損することが抑制される。その結果、高周波信号線路１０の電気的特性が変化することが抑制される。
【００８６】
また、高周波信号線路１０によれば、以下の理由によっても、ビアホール導体Ｂ１〜Ｂ４が破損することを抑制できる。角Ｃ１〜Ｃ１０の劣角が広がるように誘電体素体１２が変形すると、角Ｃ１〜Ｃ１０において、二等分線Ｌ１〜Ｌ４における信号線路２０よりも優角側の部分では、誘電体素体１２が二等分線Ｌ１〜Ｌ４に直交する方向に圧縮されて変形する。そこで、高周波信号線路１０では、ビアホール導体Ｂ１〜Ｂ４は、ｚ軸方向から平面視したときに、誘電体素体１２において信号線路２０よりも角Ｃ１〜Ｃ１０の優角側であって、かつ、角Ｃ１〜Ｃ１０の二等分線Ｌ１〜Ｌ４上には設けられていない。これにより、ビアホール導体Ｂ１〜Ｂ４が破損することが抑制される。
【００８７】
また、高周波信号線路１０によれば、薄型化を図ることができる。より詳細には、高周波信号線路１０では、補助グランド導体２４には開口３０が設けられている。これにより、信号線路２０と補助グランド導体２４との間に容量が形成されにくくなる。したがって、信号線路２０と補助グランド導体２４とのｚ軸方向における距離を小さくしても、信号線路２０と補助グランド導体２４との間に形成される容量が大きくなり過ぎない。よって、信号線路２０の特性インピーダンスが所定の特性インピーダンス（例えば、５０Ω）からずれにくい。その結果、高周波信号線路１０によれば、信号線路２０の特性インピーダンスを所定の特性インピーダンスに維持しつつ、薄型化を図ることが可能である。
【００８８】
また、高周波信号線路１０によれば、高周波信号線路１０がバッテリーパック２０６のような金属体に貼り付けられた場合に、信号線路２０の特性インピーダンスが変動することが抑制される。より詳細には、高周波信号線路１０は、信号線路２０とバッテリーパック２０６との間にベタ状の基準グランド導体２２が位置するように、バッテリーパック２０６に貼り付けられる。これにより、信号線路２０とバッテリーパック２０６とが開口を介して対向しなくなり、信号線路２０とバッテリーパック２０６との間に容量が形成されることが抑制される。その結果、高周波信号線路１０がバッテリーパック２０６に貼り付けられることによって、信号線路２０の特性インピーダンスが低下することが抑制される。
【００８９】
また、高周波信号線路１０によれば、角Ｃ２〜Ｃ９からｘ軸方向及びｙ軸方向にノイズが放射されることが抑制される。以下に、角Ｃ２を例に挙げて説明する。図１０に示すように、線路部１２ｂにおいて二等分線Ｌ１に対して最も近くに設けられているビアホール導体をビアホール導体Ｂａと呼ぶ。また、線路部１２ｃにおいて二等分線Ｌ１に対して最も近くに設けられているビアホール導体をビアホール導体Ｂｂと呼ぶ。更に、信号線路２０においてビアホール導体Ｂａに最も近接している部分を部分Ｐａとする。信号線路２０においてビアホール導体Ｂｂに最も近接している部分を部分Ｐｂとする。
【００９０】
部分Ｐａ，Ｐｂでは、信号線路２０にビアホール導体Ｂａ，Ｂｂが近接しているので、これらの間において容量が形成されている。そのため、部分Ｐａ，Ｐｂにおける信号線路２０の特性インピーダンスは、部分Ｐａと部分Ｐｂとの間における信号線路２０の特性インピーダンスよりも低い。よって、部分Ｐａ，Ｐｂにおいて高周波信号の反射が発生し、部分Ｐａと部分Ｐｂとの間において部分Ｐａ，Ｐｂを腹とする定在波が発生する。このような定在波は、ノイズの原因となるおそれがある。
【００９１】
そこで、高周波信号線路１０では、部分Ｐａと部分Ｐｂとの間の信号線路２０の長さＬａは、信号線路２０を伝送される高周波信号の波長の１／２以下である。これにより、部分Ｐａと部分Ｐｂとの間において定在波が発生することが抑制される。その結果、角Ｃ２からｘ軸方向及びｙ軸方向にノイズが放射されることが抑制される。
【００９２】
また、高周波信号線路１０では、線路部１２ｃ，１２ｇ，１２ｅ，１２ｉからノイズが放射されることが抑制される。より詳細には、高周波信号線路１０では、部分Ｐｂと部分Ｐｃとの間の信号線路２０の長さＬｅは、信号線路２０を伝送される高周波信号の波長の１／２以下である。同様に、部分Ｐｆと部分Ｐｇとの間の信号線路２０の長さＬｆは、信号線路２０を伝送される高周波信号の波長の１／２以下である。また、部分Ｐｂと部分Ｐｃとの間、及び、部分Ｐｆと部分Ｐｇとの間には、ビアホール導体が設けられていない。よって、部分Ｐｂと部分Ｐｃとの間の信号線路２０、及び、部分Ｐｆと部分Ｐｇとの間の信号線路２０において、定在波が発生しにくい。その結果、線路部１２ｃ，１２ｇ，１２ｅ，１２ｉからノイズが放射されることが抑制される。
【００９３】
また、高周波信号線路１０では、角Ｃ２〜Ｃ９において、信号線路２０を伝送される高周波信号にノイズが混入することが抑制される。以下に、角Ｃ２を例に挙げて説明する。
【００９４】
信号線路２０はｚ軸方向の両側から基準グランド導体２２と補助グランド導体２４とにより挟まれているので、信号線路２０からｚ軸方向にノイズが放射されることが抑制されている。一方、信号線路２０のｘ軸方向又はｙ軸方向には、ビアホール導体しか存在しない。そのため、信号線路２０からｘ軸方向又はｙ軸方向にノイズが放射されやすい。
【００９５】
ここで、角Ｃ２では、線路部１２ｂの線路導体２０ｂと線路部１２ｃの線路導体２０ｃとが近接する。そのため、図１０の矢印Ｍに示すように、線路部１２ｂからｘ軸方向又はｙ軸方向にノイズが放射されると、信号線路１２ｃを伝送される高周波信号にノイズが混入するおそれがある。同様に、図１０の矢印Ｍに示すように、線路部１２ｃからｘ軸方向又はｙ軸方向にノイズが放射されると、信号線路１２ｂを伝送される高周波信号にノイズが混入するおそれがある。その結果、線路部１２ｂと線路部１２ｃとが電磁界結合し、伝送ロスが発生するおそれがある。
【００９６】
そこで、高周波信号線路１０では、部分Ｐａと部分Ｐｂとの間の信号線路２０の長さＬａは、信号線路２０を伝送される高周波信号の波長の１／４以下である。これにより、部分Ｐａと部分Ｐｂとの間において、信号線路２０を伝送される高周波信号の２倍以下の周波数を有する定在波が発生することが抑制される。例えば、信号線路２０を伝送される高周波信号の周波数が２ＧＨzである場合には、４ＧＨｚ以下の定在波が発生することが抑制される。信号線路２０を伝送される高周波信号の周波数が２ＧＨｚである場合には、一般的に、信号線路２０には１ＧＨｚ〜３ＧＨｚの帯域幅を有する高周波信号が伝送される。よって、４ＧＨｚ以下の定在波の発生が抑制されることにより、信号線路２０を伝送される高周波信号の帯域内の周波数を有するノイズの発生が抑制されることになる。その結果、高周波信号線路１０では、角Ｃ２において、信号線路２０を伝送される高周波信号にノイズが混入することが抑制される。
【００９７】
（第１の変形例）
以下に、第１の変形例に係る高周波信号線路の構成について図面を参照しながら説明する。図１６は、第１の変形例に係る高周波信号線路１０ａの線路部１２ｂ〜１２ｄ，１２ｆ〜１２ｈを平面視した図である。なお、第１の変形例に係る高周波信号線路１０ａの外観斜視図については図１を援用する。
【００９８】
高周波信号線路１０ａは、ｚ軸方向から平面視したときに、誘電体素体１２において信号線路２０よりも角Ｃ１〜Ｃ１０の優角側であって、かつ、角Ｃ１〜Ｃ１０の二等分線Ｌ１〜Ｌ４上にビアホール導体Ｂ１〜Ｂ４が設けられている点において高周波信号線路１０と相違する。なお、高周波信号線路１０ａのその他の構成は、高周波信号線路１０と同じであるので説明を省略する。
【００９９】
誘電体素体１２において信号線路２０よりも角Ｃ１〜Ｃ１０の優角側に発生する応力は、誘電体素体１２において信号線路２０よりも角Ｃ１〜Ｃ１０の劣角側に発生する応力よりも小さい。そのため、誘電体素体１２において信号線路２０よりも角Ｃ１〜Ｃ１０の優角側では、誘電体素体１２において信号線路２０よりも角Ｃ１〜Ｃ１０の劣角側よりも、ビアホール導体Ｂ１〜Ｂ４が破損しにくい。そこで、ｚ軸方向から平面視したときに、誘電体素体１２において信号線路２０よりも角Ｃ１〜Ｃ１０の優角側であって、かつ、角Ｃ１〜Ｃ１０の二等分線Ｌ１〜Ｌ４上にはビアホール導体Ｂ１〜Ｂ４が設けられていてもよい。
【０１００】
（第２の変形例）
以下に、第２の変形例に係る高周波信号線路の構成について図面を参照しながら説明する。図１７は、第２の変形例に係る高周波信号線路１０ｂを平面視した図である。図１７において、線路部１２ａ，１２ｂの境界については点線で示した。
【０１０１】
高周波信号線路１０ｂは、誘電体素体１２の形状において高周波信号線路１０と相違する。なお、高周波信号線路１０ｂのその他の構成は、高周波信号線路１０と同じであるので説明を省略する。
【０１０２】
高周波信号線路１０ｂでは、誘電体素体１２は、線路部１２ａ，１２ｂ及び接続部１２ｌ，１２ｍにより構成されている。線路部１２ａは、ｘ軸方向の正方向側に進行しながらｙ軸方向の正方向側に進行するように、ｘ軸に対して傾斜している。線路部１２ｂは、ｘ軸方向の正方向側に進行しながらｙ軸方向の負方向側に進行するように、ｘ軸方向に対して傾斜している。線路部１２ａと線路部１２ｂとは、互いに接続されることにより、角Ｃ１１を形成している。そして、ｚ軸方向から平面視したときに、誘電体素体１２において角Ｃ１１の二等分線Ｌ１１上にはビアホール導体Ｂ１〜Ｂ４が設けられていない。
【０１０３】
以上のように構成された高周波信号線路１０ｂにおいても、ビアホール導体Ｂ１〜Ｂ４が破損することが抑制される。
【０１０４】
（第３の変形例）
以下に、第３の変形例に係る高周波信号線路の構成について図面を参照しながら説明する。図１８は、第３の変形例に係る高周波信号線路１０ｃを平面視した図である。図１８において、線路部１２ａ〜１２ｇの境界については点線で示した。
【０１０５】
高周波信号線路１０ｃは、誘電体素体１２の形状において高周波信号線路１０と相違する。なお、高周波信号線路１０ｃのその他の構成は、高周波信号線路１０と同じであるので説明を省略する。
【０１０６】
高周波信号線路１０ｂでは、誘電体素体１２は、線路部１２ａ〜１２ｇ及び接続部１２ｌ，１２ｍにより構成されている。線路部１２ａは、ｘ軸方向に延在している。線路部１２ｂ〜１２ｆは、ｙ軸方向に往復するジグザグ形状をなしている。より詳細には、線路部１２ｂは、線路部１２ａのｘ軸方向の正方向側の端部から、ｘ軸方向の正方向側に進行しながらｙ軸方向の負方向側に進行するように、ｘ軸に対して傾斜している。線路部１２ｃは、線路部１２ｂのｘ軸方向の正方向側の端部から、ｘ軸方向の正方向側に進行しながらｙ軸方向の正方向側に進行するように、ｘ軸方向に対して傾斜している。線路部１２ｄは、線路部１２ｃのｘ軸方向の正方向側の端部から、ｘ軸方向の正方向側に進行しながらｙ軸方向の負方向側に進行するように、ｘ軸に対して傾斜している。線路部１２ｅは、線路部１２ｄのｘ軸方向の正方向側の端部から、ｘ軸方向の正方向側に進行しながらｙ軸方向の正方向側に進行するように、ｘ軸方向に対して傾斜している。線路部１２ｆは、線路部１２ｅのｘ軸方向の正方向側の端部から、ｘ軸方向の正方向側に進行しながらｙ軸方向の負方向側に進行するように、ｘ軸に対して傾斜している。
【０１０７】
また、線路部１２ａ〜１２ｇは、互いに接続されることにより、角を形成している。そして、ｚ軸方向から平面視したときに、誘電体素体１２において角の二等分線上にはビアホール導体Ｂ１〜Ｂ４が設けられていない。線路部１２ｃ，１２ｄがなす角Ｃ１２を例に挙げて説明する。
【０１０８】
図１８に示すように、角Ｃ１２における角の二等分線を二等分線Ｌ１２とする。角Ｃ１２では、二等分線Ｌ１２における信号線路２０よりも劣角側の部分（図１８の太線部分）には、ビアホール導体Ｂ１〜Ｂ４が設けられていない。更に、本実施形態では、角Ｃ１２では、二等分線Ｌ１２における信号線路２０よりも優角側の部分にも、ビアホール導体Ｂ１〜Ｂ４が設けられていない。
【０１０９】
以上のように構成された高周波信号線路１０ｃにおいても、ビアホール導体Ｂ１〜Ｂ４が破損することが抑制される。
【０１１０】
（第４の変形例）
以下に、第４の変形例に係る高周波信号線路の構成について図面を参照しながら説明する。図１９は、第４の変形例に係る高周波信号線路１０ｄを平面視した図である。図１９において、線路部１２ａ〜１２ｃの境界については点線で示した。
【０１１１】
高周波信号線路１０ｄは、誘電体素体１２の形状において高周波信号線路１０と相違する。なお、高周波信号線路１０ｄのその他の構成は、高周波信号線路１０と同じであるので説明を省略する。
【０１１２】
高周波信号線路１０ｄでは、誘電体素体１２は、線路部１２ａ〜１２ｃ及び接続部１２ｌ，１２ｍにより構成されている。線路部１２ａ，１２ｃは、ｘ軸方向に延在している。線路部１２ｂは、ｙ軸方向の正方向側に向かって突出する半円形状をなしている。線路部１２ｂのｘ軸方向の負方向側の端部は、線路部１２ａのｘ軸方向の正方向側の端部に接続されている。線路部１２ｂのｘ軸方向の正方向側の端部は、線路部１２ｃのｘ軸方向の負方向側の端部に接続されている。
【０１１３】
また、線路部１２ａ〜１２ｃは、互いに接続されることにより、角を形成している。そして、ｚ軸方向から平面視したときに、誘電体素体１２において角の二等分線上にはビアホール導体Ｂ１〜Ｂ４が設けられていない。線路部１２ａ，１２ｂがなす角Ｃ１３を例に挙げて説明する。
【０１１４】
図１９に示すように、線路部１２ｂは、曲線をなしている。そのため、線路部１２ａと線路部１２ｂとが形成している角Ｃ１３の二等分線Ｌ１３は、線路部１２ａと線路部１２ｂの角Ｃ１３における接線Ｌ２０とがなす角の二等分線である。そして、角Ｃ１３では、二等分線Ｌ１３における信号線路２０よりも劣角側の部分（図１９の太線部分）には、ビアホール導体Ｂ１〜Ｂ４が設けられていない。更に、本実施形態では、角Ｃ１３では、二等分線Ｌ１３における信号線路２０よりも優角側の部分にも、ビアホール導体Ｂ１〜Ｂ４が設けられていない。
【０１１５】
以上のように構成された高周波信号線路１０ｄにおいても、ビアホール導体Ｂ１〜Ｂ４が破損することが抑制される。
【０１１６】
（第５の変形例）
以下に、第５の変形例に係る高周波信号線路の構成について図面を参照しながら説明する。図２０は、第５の変形例に係る高周波信号線路１０ｅを平面視した図である。図２０において、線路部１２ｂ〜１２ｄ，１２ｆ〜１２ｈの境界については点線で示した。
【０１１７】
高周波信号線路１０ｅでは、図２０に示すように、角Ｃ４，Ｃ５，Ｃ８，Ｃ９が曲線により構成されていてもよい。なお、図示を省略するが、角Ｃ１〜Ｃ３，Ｃ６，Ｃ７，Ｃ１０も曲線により構成されていてもよい。
【０１１８】
（第６の変形例）
以下に、第６の変形例に係る高周波信号線路の構成について図面を参照しながら説明する。図２１は、第６の変形例に係る高周波信号線路１０ｆの線路部１２ｂ〜１２ｄ，１２ｆ〜１２ｈを平面視した図である。高周波信号線路１０ｆの外観斜視図は、図１を援用する。
【０１１９】
高周波信号線路１０ｆは、角Ｃ２，Ｃ６，Ｃ３，Ｃ７近傍において信号線路２０がビアホール導体により挟まれていない点において高周波信号線路１０と相違する。より詳細には、線路部１２ｂ，１２ｆでは、角Ｃ２，Ｃ６近傍のビアホール導体Ｂ３，Ｂ４が設けられていない。線路部１２ｃ，１２ｇでは、角Ｃ２，Ｃ３，Ｃ６，Ｃ７近傍のビアホール導体Ｂ１，Ｂ２が設けられていない。線路部１２ｄ，１２ｈでは、角Ｃ３，Ｃ７近傍のビアホール導体Ｂ３，Ｂ４が設けられていない。
【０１２０】
高周波信号線路１０ｆでは、高周波信号線路１０とは異なり、ビアホール導体Ｂｂ，Ｂｃは、線路部１２ｃ，１２ｇのビアホール導体Ｂ３，Ｂ４となる。また、高周波信号線路１０ｆでは、高周波信号線路１０と同じように、ビアホール導体Ｂａは、線路部１２ｂ，１２ｆのビアホール導体Ｂ１となり、ビアホール導体Ｂｄは、線路部１２ｄ，１２ｈのビアホール導体Ｂ２となる。そして、高周波信号線路１０ｆでは、高周波信号線路１０と同様に、部分Ｐａと部分Ｐｂとの間の信号線路２０の長さＬａは、信号線路２０を伝送される高周波信号の波長の１／２以下が好ましく、１／４以下がより好ましい。
【０１２１】
なお、線路部１２ｄ〜１２ｆ，１２ｈ〜１２ｊも、線路部１２ｂ〜１２ｄ，１２ｆ〜１２ｈと同じ構造を有しているが、図示及び説明を省略する。
【０１２２】
以上のような高周波信号線路１０ｆにおいても、高周波信号線路１０と同様に、ノイズの放射を抑制することができる。
【０１２３】
また、高周波信号線路１０ｆにおいても、高周波信号線路１０と同様に、信号線路２０を伝送される高周波信号にノイズが混入することが抑制される。
【０１２４】
（第７の変形例）
以下に、第７の変形例に係る高周波信号線路の構成について図面を参照しながら説明する。図２２は、第７の変形例に係る高周波信号線路１０ｇの線路部１２ｂ〜１２ｄ，１２ｆ〜１２ｈを平面視した図である。高周波信号線路１０ｇの外観斜視図は、図１を援用する。
【０１２５】
高周波信号線路１０ｇは、線路部１２ｃ，１２ｅ，１２ｇ，１２ｉにビアホール導体Ｂ１〜Ｂ４が設けられていない点において高周波信号線路１０と相違する。この場合、図２２に示すように、線路部１２ｂ，１２ｆにおいて二等分線Ｌ１に対して最も近くに設けられているビアホール導体をビアホール導体Ｂａと呼ぶ。また、線路部１２ｄ，１２ｈにおいて二等分線Ｌ２に対して最も近くに設けられているビアホール導体をビアホール導体Ｂｄと呼ぶ。更に、信号線路２０においてビアホール導体Ｂａに最も近接している部分を部分Ｐａとする。信号線路２０においてビアホール導体Ｂｄに最も近接している部分を部分Ｐｄとする。このとき、部分Ｐａと部分Ｐｄとの間の信号線路２０の長さＬｘは、信号線路２０を伝送される高周波信号の波長の１／２以下が好ましく、１／４以下がより好ましい。
【０１２６】
なお、線路部１２ｄ〜１２ｆ，１２ｈ〜１２ｊも、線路部１２ｂ〜１２ｄ，１２ｆ〜１２ｈと同じ構造を有しているが、図示及び説明を省略する。
【０１２７】
以上のような高周波信号線路１０ｇにおいても、高周波信号線路１０と同様に、角Ｃ２〜Ｃ９及び線路部１２ｃ，１２ｇ，１２ｅ，１２ｉからのノイズの放射を抑制することができる。
【０１２８】
以上のような高周波信号線路１０ｇにおいても、高周波信号線路１０と同様に、信号線路２０を伝送される高周波信号にノイズが混入することが抑制される。
【０１２９】
（その他の実施形態）
本発明に係る高周波信号線路は、高周波信号線路１０，１０ａ〜１０ｇに限らず、その要旨の範囲内において変更可能である。
【０１３０】
なお、高周波信号線路１０，１０ａ〜１０ｇの構成を組み合わせてもよい。
【０１３１】
保護層１４は、スクリーン印刷によって形成されているが、フォトリソグラフィ工程によって形成されてもよい。
【０１３２】
なお、高周波信号線路１０，１０ａ〜１０ｇにおいて、コネクタ１００ａ，１００ｂが実装されていなくてもよい。この場合、高周波信号線路１０，１０ａ〜１０ｇの端部と回路基板とがはんだ等によって接続される。なお、高周波信号線路１０，１０ａ〜１０ｇの一方の端部のみにコネクタ１００ａが実装されてもよい。
【０１３３】
また、高周波信号線路１０ｄにおいて、線路部１２ａも曲線であってもよい。この場合、角Ｃ１３の二等分線Ｌ１３は、線路部１２ａの角Ｃ１３における接線と線路部１２ｂの角Ｃ１３における接線Ｌ２０とがなす角の二等分線である。
【０１３４】
なお、ビアホール導体の代わりに、スルーホール導体が用いられてもよい。スルーホール導体とは、誘電体素体１２に設けられた貫通孔の内周面にめっき等の手段により導体を形成した層間接続部である。
【０１３５】
なお、補助グランド導体２４には開口３０が設けられていなくてもよい。
【０１３６】
なお、角は、高周波信号線路１０，１０ａ〜１０ｇを伸縮可能に構成するために設けられるのではなく、高周波信号線路１０，１０ａ〜１０ｇを電子機器２００内の隙間を引き回すために設けられていてもよい。
【０１３７】
なお、ビアホール導体Ｂ１〜Ｂ４は、線路部１２ａ〜１２ｋの全てに設けられている必要はなく、少なくとも１つの線路部にのみ設けられていてもよい。ただし、ビアホール導体Ｂ１〜Ｂ４は、グランド電位の安定化のために、線路部１２ａ〜１２ｋの全てに設けられていることが好ましい。
【０１３８】
なお、高周波信号線路１０，１０ａ〜１０ｇは、アンテナフロントエンドモジュールなどＲＦ回路基板における高周波信号線路として用いられてもよい。
【産業上の利用可能性】
【０１３９】
以上のように、本発明は、高周波信号線路及びこれを備えた電子機器に有用であり、特に、層間接続導体が破損することを抑制できる点において優れている。
【符号の説明】
【０１４０】
Ｂ１〜Ｂ４，Ｂａ〜Ｂｈ  ビアホール導体
１０，１０ａ〜１０ｇ  高周波信号線路
１２  誘電体素体
１２ａ〜１２ｋ  線路部
１４  保護層
１８ａ〜１８ｃ  誘電体シート
２０  信号線路
２２  基準グランド導体
２４  補助グランド導体
３０  開口
１００ａ，１００ｂ  コネクタ
２００  電子機器
【図１】
2014140012.tif 000003
【図２】
2014140012.tif 000004
【図３】
2014140012.tif 000005
【図４】
2014140012.tif 000006
【図５】
2014140012.tif 000007
【図６】
2014140012.tif 000008
【図７】
2014140012.tif 000009
【図８】
2014140012.tif 000010
【図９】
2014140012.tif 000011
【図１０】
2014140012.tif 000012
【図１１】
2014140012.tif 000013
【図１２】
2014140012.tif 000014
【図１３】
2014140012.tif 000015
【図１４】
2014140012.tif 000016
【図１５】
2014140012.tif 000017
【図１６】
2014140012.tif 000018
【図１７】
2014140012.tif 000019
【図１８】
2014140012.tif 000020
【図１９】
2014140012.tif 000021
【図２０】
2014140012.tif 000022
【図２１】
2014140012.tif 000023
【図２２】
2014140012.tif 000024
【図２３】
2014140012.tif 000025